(57)【特許請求の範囲】
【請求項１】
モニターを備える顧客端末、
ウエブ通販用サーバ、
クレジットカード申し込み用顧客基幹系サーバ、および
人的審査機関の端末を備え、
顧客がＩＤ登録用顧客データを入力して予めウエブ通販用ＩＤを登録した状態で作動されるクレジットカード発行用審査システムであって、
前記ウエブ通販用サーバは、ウエブ通販ＩＤ登録画面データ、商品選択画面データ、および商品カート画面データを記憶しており、
前記顧客基幹系サーバは、クレジットカード申込用画面データを記憶した申込用画面データ記憶部、自社情報による２４時間自動審査と、外部照会による所定時間内自動審査を行う自動審査用処理部、当該通販申込に関する立替払い契約可能な管理番号を発番する管理番号発番部、クレジットカードの発行が否以外となったときに付与する特典ポイントのデータを生成するポイントデータ生成部、審査結果回答部、時間外受付再審査部、再審査結果回答部および郵送カード発行データ生成部を備え、
前記商品カート画面データはクレジットカード申込用画面にリンクしているとともに、リンク先表示データを備えており、顧客がウエブ通販で商品を購入するとき、商品選択画面データを顧客端末に送信して、顧客端末のモニターに商品選択画面を表示し、
顧客がこの商品選択画面により、購入商品を選択したとき、ウエブ通販用サーバは、商品カート画面データを顧客端末に送信して、顧客端末のモニターにリンク先表示を含む商品カート画面を表示するようになっており、
顧客は、商品カート画面のリンク先表示をクリックすることにより、顧客基幹系サーバの申込用画面データ記憶部からクレジットカード申込用画面データを読み出し、顧客端末のモニターにクレジットカード申し込み用画面を表示することができるようになっており、
顧客が、このクレジットカード申込用画面によりカード申込用顧客データを入力してのクレジットカード申込を行ったとき、顧客基幹系サーバは、自動審査用処理部でこのカード申込用顧客データを受け、前記所定時間内であるときには、自社情報による自動審査と外部照会による自動審査からなる通常自動審査をリアルタイムに行い、この通常自動審査が可の時には、そのデータを管理番号発番部およびポイントデータ生成部に送信し、
前記管理番号発番部は、前記データを受け、管理番号データを生成し、これを顧客端末に送信し、
前記ポイントデータ生成部は、前記データを受け、特典ポイントデータを生成し、これを顧客端末に送信し、
一方、前記所定時間外であるときには、リアルタイムには、自社情報による自動審査のみの暫定自動審査を行って、この暫定自動審査が否の時以外は外部照会未実施による再審査とし、そのデータを管理番号発番部およびポイントデータ生成部に送信するとともに、前記所定時間内となったとき、前記時間外受付再審査部によって前記通常自動審査と同様の自動再審査を行うようになっており、前記管理番号発番部は、前記データを受け、管理番号データを生成し、これを顧客端末に送信するが、管理番号は、前記再審査が可となるまで使用できないようにし、前記ポイントデータ生成部は、前記データを受け、特典ポイントデータを生成し、これを顧客端末に送信するようになっており、
顧客端末では、前記管理番号を用いてのクレジット購入の際に前記特典ポイントを使用できるようにしてあり、
前記顧客基幹系サーバは、前記通常自動審査が可のとき、および前記外部照会未実施による再審査が可のとき、郵送カード発行データ生成部をして、クレジットカード発行データを生成するようになっており、前記通常自動審査、暫定自動審査および前記外部照会未実施による再審査が人的審査を必要とする結果であるとき、前記人的審査機関の端末に前記カード申込用顧客データを送信するようになっているクレジットカード発行用審査システム。
【請求項２】
商品出荷サーバを更に有し、前記顧客基幹系サーバは、前記通常自動審査および暫定自動審査が可であるとき、顧客が購入した商品の出荷データである商品出荷データを前記商品出荷サーバに出力するようになっている請求項１のクレジットカード発行用審査システム。
【請求項３】
前記顧客基幹系サーバの内部に配置されるか、または該顧客基幹系サーバに接続されて、前記管理番号発番部が生成した管理番号データを記憶する管理番号データ記憶手段が設けられている請求項１または２のクレジットカード発行用審査システム。
【請求項４】
前記顧客基幹系サーバの内部に配置されるか、または該顧客基幹系サーバに接続されて、前記郵送カード発行データ生成部が作成した郵送カード発行データを記憶する郵送カード発行データ記憶手段が設けられている請求項１〜３のいずれかのクレジットカード発行用審査システム。
【請求項５】
前記クレジットカード発行データはカード番号を有しており、このカード番号は、前記管理番号とは異なる番号である請求項１〜４のいずれかのクレジットカード発行用審査システム。
【請求項６】
前記クレジットカード発行データは、顧客基幹系サーバに接続された郵送カード発行装置に送信されるようになっている請求項１〜５のいずれかのクレジットカード発行用審査システム。
【発明の詳細な説明】
【技術分野】
【０００１】
本発明は、クレジットカード発行用審査システムに関し、更に詳細には、ウエブでの商品購入と同時のクレジットカード発行申込についてのクレジットカード発行審査をリアルタイムに行い、この審査が可であるときには、特典ポイント付きの仮想上の管理番号を発行するクレジットカード発行用審査システムに関するものである。
【背景技術】
【０００２】
特開２００１−２５６３４１号公報には、会員申込（入会）と同時に入会特典ポイントが入力された仮ポイントカードを発行する技術が開示されている。
しかしながら、この公報に開示された技術は、ウエブでの商品購入と同時のクレジットカード発行申込についてのものではなく、本発明の技術とは異なった技術である。
【先行技術文献】
【特許文献】
【０００３】
【特許文献１】特開２００１−２５６３４１号公報
【発明の概要】
【発明が解決しようとする課題】
【０００４】
そこで、本発明は、ウエブでの商品購入と同時のクレジットカード発行申込についてのクレジットカード発行審査をリアルタイムに行い、この審査が可であるときには、特典ポイント付きの仮想上の管理番号を発行し、クレジットカードがなくとも特典ポイント付きの仮想上の管理番号で、クレジット扱いで買い物ができるようにしたクレジットカード発行用審査システムを提供することを目的とする。
【課題を解決するための手段】
【０００５】
上記の目的は、本発明の下記（１）〜（６）の構成のクレジットカード発行用審査システムにより達成される。
（１）
モニターを備える顧客端末、
ウエブ通販用サーバ、
クレジットカード申し込み用顧客基幹系サーバ、および
人的審査機関の端末を備え、
顧客がＩＤ登録用顧客データを入力して予めウエブ通販用ＩＤを登録した状態で作動されるクレジットカード発行用審査システムであって、
前記ウエブ通販用サーバは、ウエブ通販ＩＤ登録画面データ、商品選択画面データ、および商品カート画面データを記憶しており、
前記顧客基幹系サーバは、クレジットカード申込用画面データを記憶した申込用画面データ記憶部、自社情報による２４時間自動審査と、外部照会による所定時間内自動審査を行う自動審査用処理部、当該通販申込に関する立替払い契約可能な管理番号を発番する管理番号発番部、クレジットカードの発行が否以外となったときに付与する特典ポイントのデータを生成するポイントデータ生成部、審査結果回答部、時間外受付再審査部、再審査結果回答部および郵送カード発行データ生成部を備え、
前記商品カート画面データはクレジットカード申込用画面にリンクしているとともに、リンク先表示データを備えており、顧客がウエブ通販で商品を購入するとき、商品選択画面データを顧客端末に送信して、顧客端末のモニターに商品選択画面を表示し、
顧客がこの商品選択画面により、購入商品を選択したとき、ウエブ通販用サーバは、商品カート画面データを顧客端末に送信して、顧客端末のモニターにリンク先表示を含む商品カート画面を表示するようになっており、
顧客は、商品カート画面のリンク先表示をクリックすることにより、顧客基幹系サーバの申込用画面データ記憶部からクレジットカード申込用画面データを読み出し、顧客端末のモニターにクレジットカード申し込み用画面を表示することができるようになっており、
顧客が、このクレジットカード申込用画面によりカード申込用顧客データを入力してのクレジットカード申込を行ったとき、顧客基幹系サーバは、自動審査用処理部でこのカード申込用顧客データを受け、前記所定時間内であるときには、自社情報による自動審査と外部照会による自動審査からなる通常自動審査をリアルタイムに行い、この通常自動審査が可の時には、そのデータを管理番号発番部およびポイントデータ生成部に送信し、
前記管理番号発番部は、前記データを受け、管理番号データを生成し、これを顧客端末に送信し、
前記ポイントデータ生成部は、前記データを受け、特典ポイントデータを生成し、これを顧客端末に送信し、
一方、前記所定時間外であるときには、リアルタイムには、自社情報による自動審査のみの暫定自動審査を行って、この暫定自動審査が否の時以外は外部照会未実施による再審査とし、そのデータを管理番号発番部およびポイントデータ生成部に送信するとともに、前記所定時間内となったとき、前記時間外受付再審査部によって前記通常自動審査と同様の自動再審査を行うようになっており、前記管理番号発番部は、前記データを受け、管理番号データを生成し、これを顧客端末に送信するが、管理番号は、前記再審査が可となるまで使用できないようにし、前記ポイントデータ生成部は、前記データを受け、特典ポイントデータを生成し、これを顧客端末に送信するようになっており、
顧客端末では、前記管理番号を用いてのクレジット購入の際に前記特典ポイントを使用できるようにしてあり、
前記顧客基幹系サーバは、前記通常自動審査が可のとき、および前記外部照会未実施による再審査が可のとき、郵送カード発行データ生成部をして、クレジットカード発行データを生成するようになっており、前記通常自動審査、暫定自動審査および前記外部照会未実施による再審査が人的審査を必要とする結果であるとき、前記人的審査機関の端末に前記カード申込用顧客データを送信するようになっているクレジットカード発行用審査システム。
（２）
商品出荷サーバを更に有し、前記顧客基幹系サーバは、前記通常自動審査および暫定自動審査が可であるとき、顧客が購入した商品の出荷データである商品出荷データを前記商品出荷サーバに出力するようになっている上記（１）のクレジットカード発行用審査システム。
（３）
前記顧客基幹系サーバの内部に配置されるか、または該顧客基幹系サーバに接続されて、前記管理番号発番部が生成した管理番号データを記憶する管理番号データ記憶手段が設けられている上記（１）または（２）のクレジットカード発行用審査システム。
（４）
前記顧客基幹系サーバの内部に配置されるか、または該顧客基幹系サーバに接続されて、前記郵送カード発行データ生成部が作成した郵送カード発行データを記憶する郵送カード発行データ記憶手段が設けられている上記（１）〜（３）のいずれかのクレジットカード発行用審査システム。
（５）
前記クレジットカード発行データはカード番号を有しており、このカード番号は、前記管理番号とは異なる番号である上記（１）〜（４）のいずれかのクレジットカード発行用審査システム。
（６）
前記クレジットカード発行データは、顧客基幹系サーバに接続された郵送カード発行装置に送信されるようになっている上記（１）〜（５）のいずれかのクレジットカード発行用審査システム。
【発明の効果】
【０００６】
本発明のクレジットカード発行用審査システムは、上記した構成であるので、クレジットカード発行用審査をリアルタイムに自動で行い、その自動審査が可であるとき、特典ポイントの使用が可能な仮想上の管理番号が発行されるようにしたので、顧客は、上記管理番号を用いて、クレジットで買い物ができ、しかもこの管理番号に紐付けられた特典ポイントを使用しての買い物ができるようになるので、クレジットカード会員にとっても有効に特典を利用できるだけでなく、クレジットカード運営会社にとっても入会促進となる。
【図面の簡単な説明】
【０００７】
【図１】本発明の実施の形態によるクレジットカード発行用審査システムの概要を説明するための模式図である。
【図２】所定時間内のクレジットカード発行用審査システムの審査（通常自動審査）の流れの概略を示した図である。
【図３】所定時間内のクレジットカード発行用審査システムの審査（自動再審査）の流れの概略を示した図である。
【発明を実施するための形態】
【０００８】
以下、添付図面を参照しつつ本発明の実施の形態によるクレジットカード発行用審査システムに付いて説明する。
図１は、本発明の実施の形態によるクレジットカード発行用審査システム１０の模式図である。
【０００９】
本クレジットカード発行用審査システム１０は、  モニターを備える顧客端末１０、ウエブ通販用サーバ２０およびクレジットカード申し込み用顧客基幹系サーバ３０を備え、顧客がＩＤ登録用顧客データを入力してのウエブ通販用ＩＤを登録した状態で作動されるクレジットカード発行用審査システムである。
【００１０】
前記ウエブ通販用サーバは、ウエブ通販ＩＤ登録画面データ、商品選択画面データ、および商品カート画面データを記憶している。顧客は、顧客端末１０でウエブ通販用サーバからウエブ通販ＩＤ登録画面データを受け、これにより顧客端末１０に表示されたウエブ通販ＩＤ登録画面にＩＤ登録用顧客データ（氏名、住所、電話番号、年齢、性別等）を入力して、予めウエブ通販ＩＤを登録してある。
【００１１】
前記顧客基幹系サーバは、システムセンター内にあって完全にセキュリティが保たれている。この顧客基幹系サーバ３０は、クレジットカード申込用画面データを記憶した申込用画面データ記憶部３２、自社情報による２４時間自動審査と、外部照会による所定時間内自動審査を行う自動審査用処理部３４、クレジットカードの発行が可となったときに、管理番号を含む管理番号情報を生成する管理番号発番部３６、クレジットカードの発行が可となったときに付与する特典ポイントのデータを生成するポイントデータ生成部３８、審査結果回答部４０、時間外受付再審査部４２、再審査結果回答部４４および郵送カード発行データ生成部４６を備えている。
【００１２】
前記商品カート画面データは、クレジットカード申込用画面にリンクしているとともに、リンク先表示データを備えている。
【００１３】
顧客基幹系サーバ３０は、さらに、生成された管理番号を含む仮カード情報を記憶する管理番号情報データファイル４８、生成された郵送カード発行データを記憶する郵送カード発行データファイル５０および全ての審査の結果を申込情報とともに記憶する審査情報データファイル５２を備えている。
【００１４】
次に、以上説明したクレジットカード発行用審査システム１０を用いての実際のクレジットカード発行用審査を説明する。
【００１５】
顧客がウエブ通販で商品を購入するとき、顧客端末１０でウエブ通販ＩＤを用いてウエブ通販用サーバ２０にアクセスすると、ウエブ通販用サーバ２０は、商品選択画面データを顧客端末に送信して、顧客端末のモニターに商品選択画面を表示し、顧客がこの商品選択画面により、購入商品を選択したとき、ウエブ通販用サーバ２０は、商品カート画面データを顧客端末に送信して、顧客端末のモニターにリンク先表示を含む商品カート画面を表示するようになっている。
【００１６】
顧客は、商品カート画面のリンク先表示をクリックすることにより、顧客基幹系サーバ１０の申込用画面データ記憶部３２からクレジットカード申込用画面データを読み出し、顧客端末１０のモニターにクレジットカード申し込み用画面を表示することができる。顧客が、このクレジットカード申込用画面によりカード申込用顧客データを入力してのクレジットカード申込を行ったとき、顧客基幹系サーバ３０は、自動審査用処理部３４でこのカード申込用顧客データを受け、審査を行う。
【００１７】
自動審査用処理部３４は、前記所定時間内であるときには、自社情報による自動審査と外部照会による自動審査からなる通常自動審査をリアルタイムに行い、この通常自動審査が可の時には、そのデータを管理番号発番部３６およびポイントデータ生成部３８に送信し、前記管理番号発番部３６は、前記データを受け、管理番号データを生成し、これを顧客端末に送信し、前記ポイントデータ生成部３８は、前記データを受け、特典ポイントデータ（例えば、２０００円として使用できる４００ポイントのデータ）を生成し、これを顧客端末に送信する。なお、管理番号データおよび特典ポイントデータの送信は、審査結果回答部４０によって行われる。
【００１８】
このように、顧客端末１０に管理番号データおよび特典ポイントデータ送信されると、顧客は、上記管理番号を用いて上述の商品の購入を行えるようになる。この管理番号を用いての上述の商品の購入は、上記特典ポイントデータで示された特典ポイントを使用して行うことができる。すなわち、３５００円の商品を上記管理番号を用いて購入する際、上記の２０００ポイントを使用でき、したがって、実際の代金は１５００円となる。
【００１９】
以上説明した所定時間内のクレジットカード発行用審査システムの審査（通常自動審査）の流れの概略を図２に示した。
【００２０】
一方、自動審査用処理部３４は，前記所定時間外であるときには、リアルタイムには、自社情報による自動審査のみの暫定自動審査を行って、この暫定自動審査が否の時以外は外部照会未実施による再審査とし、そのデータを管理番号発番部３６およびポイントデータ生成部３８に送信し、前記管理番号発番部３６は、前記データを受け、管理番号データを生成し、これを顧客端末に送信するが、管理番号は一旦使用できるようにし、所定時間内の再審査で否のときは、管理番号およびポイントデータは取り消され、顧客端末に送信されるようになっている。
【００２１】
上記の審査結果が、否の時以外とは、可の結果、および可ではないが人的審査を必要とするという結果の２つである。
【００２２】
前記顧客基幹系サーバ１０は、前記暫定自動審査による審査結果が否の時以外のときであって、前記所定時間内となったとき、前記時間外受付再審査部４２によって前記通常自動審査と同様の自動再審査を行うようになっている。
【００２３】
この時間外受付再審査部４２の自動再審査の結果は、上記通常自動審査の結果と同様にして用いられ、その結果のデータは、再審査結果回答部４４によって、顧客端末１０に送信される。
【００２４】
以上説明した所定時間内のクレジットカード発行用審査システムの審査（自動再審査）の流れの概略を図２に示した。
【００２５】
前記顧客基幹系サーバ３０は、前記通常自動審査および自動再審査の結果が人的審査を必要とする結果であるとき、人的審査機関の端末１００に前記クレジットカード申込データを送信するようになっている。この人的審査機関の審査の結果が可であるときには、郵送カード作成処理に入る。
【００２６】
本クレジットカード発行用審査システムは、商品出荷サーバ１１０を更に有し、前記顧客基幹系サーバ３０は、前記通常自動審査および暫定自動審査が可であるとき、顧客が購入した商品の出荷データである商品出荷データを前記商品出荷サーバ１１０に出力するようになっている。なお、暫定自動審査が可であるときには、自動再審査の結果が出るまで、実際の出荷は行わない。
【００２７】
上記したように、前記顧客基幹系サーバは、郵送カード発行データ生成部４６を有し、前記通常自動審査および自動再審査が可のとき、郵送カード発行データ生成部４６をして、クレジットカード発行データを生成するようになっている。このクレジットカード発行データは、郵送カード発行装置１２０に送信され、この郵送カード発行装置１２０は、上記クレジットカード発行データに基づき実際のクレジットカードを発行し、顧客に郵送するようにする。
【００２８】
前記管理番号データ記憶手段４８は、上記したように顧客基幹系サーバ３０の内部に配置されるか、または該顧客基幹系サーバに接続されて配置されても良く、前記管理番号発番部４８が生成した管理番号データを含む管理番号生成データを記憶する。
【００２９】
前記郵送カード発行データ記憶手段５０は、上記したように顧客基幹系サーバ３０の内部に配置されるか、または該顧客基幹系サーバに接続されて配置されてもよく、前記郵送カード発行データ生成部４６が作成した郵送カード発行データを記憶する。
【００３０】
前記クレジットカード発行データはカード番号を有しており、このカード番号は、前記管理番号とは異なっている。
【００３１】
以上説明したように、本クレジットカード発行用審査システムにおいては、顧客であるクレジットカード申込者がクレジットカードの申込を行うと、自動審査で可となった顧客は、管理番号を用いてほぼリアルタイムにクレジットで買い物ができるようになり、しかもクレジットカードの新規契約者に与えられる特典ポイントをその買い物時に使用でき、利便性が高い。
【符号の説明】
【００３２】
１０  顧客端末
２０  ウエブ通販用サーバ
３０  顧客基幹系サーバ
３２  申込用画面データ記憶部
３４  自動審査用処理部
３６  管理番号発番部
３８  ポイントデータ生成部
４０  審査結果回答部
４２  時間外受付再審査部
４４  再審査回答部
４６  郵送カード発行データ生成部
４８  管理番号情報データファイル
５０  郵送カード発行データファイル
５２  審査情報データファイル
１００  人的審査機関の端末
１１０  商品出荷サーバ
１２０  郵送カード発行装置
【要約】
【課題】
実際の買い物に際しての利便性の高いクレジットカードを発行するためのクレジットカード発行用審査システムを提供する。
【解決手段】
本発明によるクレジットカード発行用審査システムは、ウエブでの商品購入と同時のクレジットカード発行申込についてのクレジットカード発行審査をリアルタイムに行い、この審査が可であるときには、特典ポイント付きの仮想上の管理番号を発行し、クレジットカードがなくとも特典ポイント付きの仮想上の管理番号で、クレジット扱いで買い物ができるようにし、その買い物時に上記特典ポイントを使用できるように構成されたものである。
【選択図】図１【図１】
0005190546.tif 000002
【図２】
0005190546.tif 000003
【図３】
0005190546.tif 000004